(57)【要約】【課題】  粘着剤の粘度が低い又は粘着剤の量が多い粘着シート材を切断しても、下刃の切刃側面への粘着剤の付着を抑制することができる粘着シート切断装置およびその製造方法を提供する。【解決手段】円盤形状の外周に上切刃を備える上刃本体と、円柱形状の外周側面に亘って形成された溝部および、前記外周側面と前記溝部の内側面との間に形成された下切刃を備える下刃本体と、を備え、前記上切刃の一部を前記下刃本体の溝部内に配置し、前記上刃本体と下刃本体を相互に反対方向に回転させて、前記上切刃と前記下切刃の間に向って連続的に粘着剤を有する粘着シート材を進入させて切断する粘着シート切断装置において、  前記内側面は、前記下切刃から離れるに連れて前記回転軸方向において前記上切刃から離間するとともに、前記内側面から前記下刃本体の外周側面の下切刃側の一部に亘って、テクスチャ加工が施されていることを特徴とする。【選択図】  図２
2009202255.tif 000002
【特許請求の範囲】
【請求項１】
円盤形状の外周に上切刃を備える上刃本体と、
円柱形状の外周側面に亘って形成された溝部および、前記外周側面と前記溝部の内側面との間に形成された下切刃を備える下刃本体と、を備え、
前記上切刃の一部を前記下刃本体の溝部内に配置し、前記上刃本体と下刃本体を相互に反対方向に回転させて、前記上切刃と前記下切刃の間に向って連続的に粘着剤を有する粘着シート材を進入させて切断する粘着シート切断装置において、
前記内側面は、前記下切刃から離れるに連れて前記回転軸方向において前記上切刃から離間するとともに、
前記内側面から前記下刃本体の外周側面の下切刃側の一部に亘って、テクスチャ加工が施されていることを特徴とする粘着シート切断装置。
【請求項２】
前記テクスチャ加工は、回転軸方向において、下切刃の最も上刃本体側から１〜３ｍｍの位置まで形成されていることを特徴とする請求項１に記載の粘着シート切断装置。
【請求項３】
前記上刃本体および下刃本体の回転軸を通る断面における前記下切刃の刃先は、上切刃の刃先と比較して、曲率半径が大きいことを特徴とする請求項１又は請求項２に記載の粘着シートの切断装置。
【請求項４】
前記上刃本体および下刃本体の回転軸を通る断面における前記下切刃の刃先の曲率半径は、１〜１０μｍであることを特徴とする請求項３に記載の粘着シート切断装置。
【請求項５】
前記上切刃の少なくとも回転軸方向における下刃本体側の側面には、テクスチャ加工が施されていることを特徴とする請求項１乃至４のいずれかに記載の粘着シート切断装置。
【請求項６】
請求項１乃至５のいずれかに記載の粘着シート切断装置の製造方法であって、
前記テクスチャ加工を施す工程は、
前記下刃本体の外周側面のうち、下切刃側の一部が露出するように保護部材を取り付ける工程と、
前記下刃本体の前記内側面を含む領域に、前記回転軸方向における上刃本体側からブラスト材を噴射してブラスト処理を施す工程と、
を備えることを特徴とする粘着シート切断装置の製造方法。
【請求項７】
前記ブラスト処理は、サンドブラストにより行われることを特徴とする請求項６に記載の粘着シート切断装置の製造方法。
【発明の詳細な説明】
【技術分野】
【０００１】
本発明は、粘着剤層を設けた長尺シート状の粘着シート材を連続的に切断するための粘着シート切断装置およびその製造方法に関する。
【背景技術】
【０００２】
従来から、樹脂フィルム、磁気テープ、紙、金属箔、金属薄板等の長尺状のシート材を連続的に切断するために、上刃と下刃の一対の２枚の円盤の間にシートを通しつつ上刃と下刃を回転させてシート材を切断するシート切断装置が知られている。
【０００３】
例えば、特許文献１には、上刃シャフトに複数個の上刃が装着された上刃部と、下刃シャフトに複数の下刃と該下刃同士の間に該下刃と同一外径の円柱状のスペーサーが装着された下刃部とを有したシート切断装置において、前記下刃に対向するスペーサー円柱面のエッジ部にＲ加工又はテーパ加工を施す技術が記載されている。
【０００４】
当該構成によれば、円柱面のエッジ部に切断されたシート材の端部が、上刃により押しつけられて引き伸ばされることにより発生するひび割れを防止することができる。
【特許文献１】特開２００１−２６００７７号公報
【発明の開示】
【発明が解決しようとする課題】
【０００５】
上記特許文献１のようなシート切断装置は、下刃とスペーサーとの隙間に上刃を挿入して切削加工を行う。
【０００６】
しかし、このようなシート切断装置で粘着剤層を設けた粘着シート材を切断すると、切断時にかかる圧力によって下刃側に残る粘着シート材の切断端面から粘着剤がはみ出し、上刃の切刃側面に付着してしまうおそれがあった。
【０００７】
また、粘着シート材の粘着剤の粘度が低い場合や、粘着剤の量が多い場合は、上刃側に切り離された粘着シート材の切断端面から粘着剤がはみ出したり飛び出したりすることにより、下刃の切刃側面に付着してしまうおそれがあった。
【０００８】
上刃の切断側面は、除去作業を行うスペースが広いため、粘着剤の除去作業が容易である。それに対して、下刃の切刃側面への粘着剤の付着は、スペーサーと下刃との僅かな隙間内で除去作業を行う必要がある。そのため、除去作業が非常に困難であり、その結果、製造タクトが遅延するといった問題があった。
【０００９】
そこで、本発明は上記課題を解決するために、粘着剤の粘度が低い又は粘着剤の量が多い粘着シート材を切断しても、下刃の切刃側面への粘着剤の付着を抑制することができる粘着シート切断装置およびその製造方法を提供する。
【課題を解決するための手段】
【００１０】
本発明の粘着シート切断装置は、円盤形状の外周に上切刃を備える上刃本体と、円柱形状の外周側面に亘って形成された溝部および、前記外周側面と前記溝部の内側面との間に形成された下切刃を備える下刃本体と、を備え、前記上切刃の一部を前記下刃本体の溝部内に配置し、前記上刃本体と下刃本体を相互に反対方向に回転させて、前記上切刃と前記下切刃の間に向って連続的に粘着剤を有する粘着シート材を進入させて切断する粘着シート切断装置において、前記内側面は、前記下切刃から離れるに連れて前記回転軸方向において前記上切刃から離間するとともに、前記内側面から前記下刃本体の外周側面の下切刃側の一部に亘って、テクスチャ加工が施されていることを特徴とする。
【００１１】
また、上記発明において、前記テクスチャ加工は、回転軸方向において、下切刃の最も上刃本体側から１〜３ｍｍの位置まで形成されていることが好ましい。
【００１２】
また、上記発明において、前記上刃本体および下刃本体の回転軸を通る断面における前記下切刃の刃先は、上切刃の刃先と比較して、曲率半径が大きいことが好ましい。
【００１３】
また、上記発明において、前記上刃本体および下刃本体の回転軸を通る断面における前記下切刃の刃先の曲率半径は、１〜１０μｍであることが好ましい。
【００１４】
また、上記発明において、前記上切刃の少なくとも回転軸方向における下刃本体側の側面には、テクスチャ加工が施されていることが好ましい。
【００１５】
また、本発明の粘着シート切断装置の製造方法は、上記本発明の粘着シート切断装置を製造する方法であって、前記テクスチャ加工を施す工程は、前記下刃本体の外周側面のうち、下切刃側の一部が露出するように保護部材を取り付ける工程と、前記下刃本体の前記内側面を含む領域に、前記回転軸方向における上刃本体側からブラスト材を噴射してブラスト処理を施す工程と、を備えることを特徴とする。
【００１６】
さらに、上記発明において、前記ブラスト処理は、サンドブラストにより行われることが好ましい。
【発明の効果】
【００１７】
本発明の粘着シート切断装置を用いることにより、粘着剤の粘度が低い又は粘着剤の量が多い粘着シート材を切断しても、下刃本体の溝部の内側面への粘着剤の付着を抑制することができる。そのため、粘着剤の除去作業を行う間隔および回数を減らすことが可能となり、製造タクトが遅延するといった問題を改善することができる。
【００１８】
また、本発明の粘着シート切断装置の製造方法を用いることにより、容易に本発明にかかる粘着シート切断装置を製造することができる。
【発明を実施するための最良の形態】
【００１９】
（実施例）
本発明の一実施形態にかかる粘着シート切断装置を、図を参照して説明する。図１は一実施例の粘着シート切断装置の上刃本体と下刃本体を回転軸方向からみた概略図である。図２は、図１におけるＳ−Ｓ断面の断面図である。図３は、図２における上切刃と下切刃の重なり合う部分を拡大した拡大断面図である。なお、以下の説明で使用する図は、発明の理解を助けるものであり、実際の寸法及び比率と異なる場合がある。
【００２０】
図１によれば、粘着シート切断装置１は、円柱形状の下刃本体２と、円盤形状の上刃本体３とを備えている。下刃本体２及び上刃本体３は外周部にそれぞれ下切刃２５および上切刃３５を備えている。下刃本体２と上刃本体３とはＡ−Ａ‘間において、回転軸Ｐ、Ｏが延びる方向（以下、回転軸方向）に重なっている。また、下刃本体２の下切刃と上刃本体３の上切刃における回転軌道面（それぞれの切刃の回転軌道を外周とする平面）は、互いに略平行となるように配置されている。なお、下刃本体２の下切刃と上刃本体３の上切刃における回転軌道面の回転軌道面が平行から±５°の範囲内であることが、切断されるシート材への応力や加工精度の観点から好ましい。
【００２１】
そして、下刃本体２及び上刃本体３は図１に記載のO及びPを回転軸として、それぞれ逆方向に回転させて、下刃本体２の下切刃と上刃本体３の上切刃との間（具体的には、Ａ−Ａ‘間）に向かって連続的に加工対象である粘着シート材５を進入させて切断する。
【００２２】
図２を参照して、下刃本体２と上刃本体３について詳しく説明する。下刃本体２は、略円柱形状を有し、一端面に外周に亘って切り欠かかれた切欠部を有する第１ブロック２ａと、第１ブロック２ａと略同一径を有し、切欠が形成されていない第２ブロック２ｂとからなる。第１ブロック２ａと第２ブロック２ｂはそれぞれの円柱の軸が合うように接合されている。そして、第１ブロック２ａの切欠部と第２ブロック２ｂとの一端面とによって溝部２２が形成されている。なお、本発明の説明において、円柱形状とは外形が円柱になっていればよく、例えば内部に空隙がある円筒形状も含むものである。
【００２３】
第１ブロック２ａは、外周側面２１と切欠部の内側面２３との間（即ちエッジ部分）に下切刃２５が形成されている。また、内側面２３よりもさらに回転軸側には、該内側面よりも深く切欠かれた逃がし部が形成されている。
【００２４】
上刃本体３は、略円盤形状を有しており、該円盤形状の外周に亘って上切刃３５が形成されている。また、上切刃３５は、回転軸と略直行する第１面３１（図２においては、下切刃２５側の面）と、該第１面３１よりも傾いた第２面３２（図２においては第２ブロックに臨む面）とによって構成されている。なお、本発明の説明において、円盤形状とは外形が円盤になっていればよく、例えば内部に空隙があるドーナツ形状も含むものである。
【００２５】
下刃本体２の溝部２２内には、上刃本体３の上切刃３５が挿入された状態で配置されている。なお「溝部内」とは、溝部によって形成された空間を意味する。上切刃３５が挿入される部分における溝部２２の幅Ｗは、非常に狭い間隔（例えば１〜１０ｍｍ程度）に形成されている。そして、下切刃２５と上切刃３５との間に例えば２枚の樹脂シート５１間に粘着剤５２が介在された粘着シート材５を通すことにより、粘着シート材５を切断する。
【００２６】
下刃本体の第１ブロック２ａおよび第２ブロック２ｂの外周側面２１は、ともに切断する粘着シート材を運ぶ働きおよび、切断時に粘着シート材の切断部分の両端を支持する働きを有している。そのため、外周側面２１を通過させる粘着シート材５は、下刃本体の外周側面２１からはみ出さない幅であることが好ましい。
【００２７】
次に図３を参照して、粘着シート材の切断工程を具体的に説明する。粘着シート材５は下切刃２５と上切刃３５との間の剪断応力によって切断されることとなる。このとき、上切刃３５の第１面３１は、第１ブロック２ａ側に残る粘着シート材の切断された端面に接触した状態で通過する。そのため、上切刃３５の第１面３１の点線で覆われた領域Ｂには、粘着剤５２が付着しやすい。また、第２ブロック側に切り離された粘着シート材５の切断された端面は、下刃本体２の溝部２２内に切り落とされることになる。このとき、粘着シート材５に粘着剤５２の粘度が低い場合や、粘着剤５２の量が多い場合は、粘着剤５２が切断された端面からはみ出して下刃本体２の内側面２３の点線で覆われた領域Ｃに付着しやすい。
【００２８】
しかし、本実施形態においては、下刃本体２の内側面２３から外周側面２１の下切刃２５側の一部に亘って、テクスチャ加工が施されている。当該テクスチャ加工が施された箇所は、粘着剤５２との面積が、テクスチャ加工が施されていない場合と比べて小さくなっている。そのため、切断時における外周側面２１の下切刃２５における接触抵抗を低減することができ、粘着シート材５を切断時に無駄に引き込むこと抑制することができる。これにより、切断時において粘着シート材に切断に必要な剪断応力以外の圧力を付与することを低減することができ、粘着シート材５の切断された端面からの粘着剤５２のはみ出しを抑制することができる。さらに、下刃本体２の内側面２３の粘着剤５２が付着しやすい領域Ｃも最表面の面積も小さくなっているため、粘着剤５２の付着を抑制することができる。
【００２９】
つまり、上記構成により、粘着剤５２のはみ出しと付着の抑制を同時に可能にすることができる。その結果、粘着剤５２の除去作業が非常に困難な下刃本体２の溝部２２に位置する内側面２３への粘着剤５２の付着を効果的に抑制することができ、粘着剤５２の除去作業を行う間隔および回数を減らすことが可能となり、製造タクトが遅延するといった問題を改善することができる。
【００３０】
また、テクスチャ加工は、回転軸方向において、下切刃２５の最も上刃本体側から１〜３ｍｍの位置まで形成されていることが好ましい。当該範囲においては、切断時における粘着シート材にかかる不要な応力を適宜抑制することができる。
【００３１】
また、上刃本体３および下刃本体２の回転軸Ｏ及びＰを通る断面における下切刃２５の刃先は、上切刃３５の刃先と比較して、曲率半径が大きいことが好ましい。下切刃２５の刃先は、切断される粘着シート材５が上切刃３５の刃先から押し付けされる側になる。そのため、上切刃の刃先の曲率半径を大きく、下切刃２５の刃先の曲率半径は小さくすることにより、切断力を維持しつつ、粘着シート材５にかかる圧力を下切刃２５の刃先で分散して粘着剤５２のはみ出しを抑制することが可能となる。なお、下切刃２５の刃先の前記曲率半径は、１〜３μｍであることが好ましい。当該範囲内においては、上記効果を有効に得ることができる。
【００３２】
また、上切刃３５の少なくとも回転軸方向における下刃本体側の側面、即ち第１面には、テクスチャ加工が施されていることが好ましい。当該構成により、上切刃３５の第１面３１の点線で覆われた領域Ｂに粘着剤５２が付着するのを抑制することができ、上刃側の粘着剤５２の除去についても間隔および回数を減らすことが可能となる。これにより、さらなる製造タクトの短縮が可能となる。なお、一実施形態においては、さらに上切刃３５の第２面３２にもテクスチャ加工が施されている。これにより、第２ブロック側に切り離された粘着シート材５の切断された端面から第２面３２に付着する粘着剤５２を抑制することができるため好ましい。
【００３３】
上述したテクスチャ加工とは、表面にマイクロ〜ナノメートルサイズの凹凸形状を形成することにより、最表面の面積を低減される加工を意味し、具体的には、梨地加工や粗面化加工などが挙げられる。また、上記一実施例においては、表面を算術平均粗さ（Ｒａ）が１〜５μｍの梨地加工を施している。
【００３４】
また、本発明における粘着シート材は、粘着剤が含まれたものであれば特に限定はなく、例えば両面テープや、多層ラミネートフィルム等が挙げられる。
（変形例）
本発明においては、以下に記載のような変形例を用いることも可能である。
【００３５】
例えば、上刃本体３の上切刃３５のうち、回転軸方向における下刃本体２側に位置する第１面にテーパ部を形成し、該テーパ部と下切刃２５の刃先を、下刃本体２及び上刃本体３の回転軸を通る断面上において１点で接触する構成にする。さらに、下刃本体２の刃先は、回転軸方向において下刃本体２と上刃本体３とが重なる部分、所謂オーバーラップしている部分の全体（図１におけるＡ−Ａ‘間）が、テーパ部の直下領域に位置する構成にする。
【００３６】
上記構成によれば、テーパ部を形成することにより、上切刃３５の刃先と下切刃２５の刃先２５が接触したり擦れあったりすることを防止することができる。そのため、切刃同士の接触による摩耗屑の低減及び上刃本体３及び下刃本体２の切刃２５、３５の寿命を延命することができる。また、上刃本体３を大きく撓ますことなく所定の微小幅クリアランス（上切刃３５の刃先と下切刃２の刃先２５の距離）を長期間にわたり精度良く設定することができる。
【００３７】
すなわち、上記のように所定の微小幅に制御されたクリアランスを維持した状態で下刃２５及び上刃３５を、回転軸を基準に互いに逆方向に回転させつつ被切断材である粘着シート材を下刃本体２と上刃本体３との間に連続的に進入させることにより、所望の剪断応力が付与されて、シート部材を連続的に小さい力で鋭利な剪断面にカッティングすることができる。
【００３８】
また、下切刃２５および上切刃３５の表面に被覆膜を形成してもよい。被覆膜としては、周期表第４、５、６族金属の炭化物、窒化物、炭窒化物、炭酸窒化物、特に（ＴｉａＭｂ）ＣｘＮｙＯｚ（ただし、Ｍ：Ａｌ、Ｚｒ、Ｃｒ、Ｓｉの群から選ばれる少なくとも１種、０＜ａ≦１、０≦ｂ＜１、ａ＋ｂ＝１、０≦ｘ≦１、０≦ｙ≦１、０≦ｚ≦１、ｘ＋ｙ＋ｚ＝１）、ダイヤモンド、ダイヤモンドライクカーボン（以下、ＤＬＣと略す。なお、本発明のＤＬＣはテトラヘデラルアモルファスカーボンも含む。）、立方晶窒化ホウ素（ｃＢＮ）およびＡｌ２Ｏ３の群から選ばれる少なくとも１種の硬質被覆膜、またはフッ素樹脂被覆膜を単層または複数層が好適に使用可能である。特に、ＤＬＣからなることが、耐摩耗性向上、切屑処理性の点で望ましい。
【００３９】
また、切刃以外にも、上刃本体２の第１面３１をＤＬＣからなる被覆膜にて被覆することにより、粘着シート材との摩擦を低減してシート材の溶着を抑制する効果もある。
（粘着シート切断装置の製造方法）
上記一実施形態にかかる粘着シート切断装置の製造方法のうち、テクスチャ加工を施す工程について、図面を参照して以下に説明する。
【００４０】
図４および図５は、下刃本体の内側面から外周側面の下切刃側の一部に亘って、テクスチャ加工を施す製造工程の概略図である。まず、互いに接合する前の第１ブロックおよび第２ブロックを準備する。そして、第１ブロックの一方の端面に外周に亘って切欠きを設けて下切刃を形成する。
【００４１】
そして、図４に示すように、第１ブロック２ａの外周側面のうち、下切刃側の一部が露出するように保護部材４（例えば、樹脂テープ）を取り付ける。そして、回転軸方向における上刃本体側（換言すると、第１ブロックの切欠を形成した端面側）からブラスト噴射装置８からブラスト材８０を噴射して、下刃本体の内側面から外周側面の下切刃側の一部に亘って、テクスチャ加工を施す。
【００４２】
これにより、図５に示すような、テクスチャ加工面Ｔが形成されることになる。当該製造方法においては、下刃本体の内側面から外周側面の下切刃側の一部に亘るテクスチャ加工を容易にまた、一度のブラスト処理により行うことが可能であり、製造タクトを削減することができる。
【００４３】
また、上記ブラスト処理としてサンドブラストを用いることにより、安価な保護部材で本発明にかかる粘着シート切断装置を製造することができる。また、本発明にかかる粘着シート切断装置に求められるテクスチャ加工を容易に行うことができる。
【００４４】
その後、第１ブロックおよび第２ブロックを接合して下刃本体を形成する。そして、上切刃にも同様のブラスト処理を行い、上切刃の少なくとも回転方向における下刃本体側の側面（第１面）にテクスチャ加工を施す。
【００４５】
その後、上刃本体の上切刃の一部が下刃本体の溝部内に位置するように組み立てることにより、一実施例にかかる粘着シート切断装置を製造した。
【００４６】
なお、上記一実施形態および製造方法は一例を示すものであり、請求項記載の範囲内において、適時の変更が可能である。
【図面の簡単な説明】
【００４７】
【図１】本発明の粘着シート切断装置の一実施形態を示す概略図である。
【図２】図１のＳ−Ｓ断面における断面図である。
【図３】図２の切刃部分の概略拡大模式図である。
【図４】一実施形態の粘着シート切断装置の製造工程を示す概略図である。
【図５】一実施形態の粘着シート切断装置の製造工程を示す概略図である。
【符号の説明】
【００４８】
１      粘着シート切断装置
２      下刃本体
２ａ    第１ブロック
２ｂ    第２ブロック
２１    外周側面
２２    溝部
２３    内側面
２５    下切刃
３      下刃本体
３１    第１面
３２    第２面
３５    上切刃
４      保護部材
５      粘着シート材
５１    樹脂シート
５２    粘着剤
８      ブラスト噴射装置
８０  ブラスト材
Ｏ      上刃回転軸
Ｐ      下刃回転軸
【図１】
2009202255.tif 000003
【図２】
2009202255.tif 000004
【図３】
2009202255.tif 000005
【図４】
2009202255.tif 000006
【図５】
2009202255.tif 000007